(57)【要約】【課題】電飾図柄の輪郭形状が明瞭化することができる電飾装置の製造方法を提供する。【解決手段】電飾装置３０の前面板４０に文字及び／又は図柄をシルクスクリーン印刷により印刷する第１の印刷工程と、前面板４０の周縁部分をインクジェット印刷により印刷する第２の印刷工程とを含むようにした。【選択図】図５
2008093303.tif 000002
【特許請求の範囲】
【請求項１】
文字及び／又は図柄を印刷した前面板を備え、遊技盤を構成する基板に形成した開口部内に挿着される電飾装置の印刷方法であって、
前記前面板に文字及び／又は図柄をシルクスクリーン印刷により印刷する第１の印刷工程と、前記前面板の周縁部分をインクジェット印刷により印刷する第２の印刷工程と、を含むことを特徴とする電飾装置の印刷方法。
【請求項２】
文字及び／又は図柄を印刷した前面板を備え、遊技盤を構成する基板に形成した開口部内に挿着される電飾装置であって、
前記前面板に文字及び／又は図柄をシルクスクリーン印刷により印刷し、前記前面板の周縁部分をインクジェット印刷により印刷したことを特徴とする電飾装置。
【請求項３】
基板と、該基板に形成した開口部と、該基板表面に添設固定されるセルシートと、を備えた遊技盤と、
請求項２に記載の電飾装置と、を備えたことを特徴とする遊技盤ユニット。
【請求項４】
請求項３に記載の遊技盤ユニットを備えたことを特徴とするパチンコ遊技機。
【発明の詳細な説明】
【技術分野】
【０００１】
本発明は、遊技盤を構成する基板面に形成した開口部内に埋設する電飾装置の印刷方法と、その印刷方法により印刷された電飾装置、遊技盤ユニット、及びパチコン遊技機に関する。
【背景技術】
【０００２】
パチンコ機、アレンジボール等の遊技機においては、従来から、単なる照明効果のみならず、遊技盤上における遊技状態の変化等の状況変化を視覚的に表現、報知したり、遊技進行上での電飾効果を図る等の目的から、盤面上、その他任意の部位にＬＥＤランプやフィラメント式ランプ等の発光装置を配置している。
この種のパチンコ遊技機として、例えば遊技盤の遊技領域に形成した開口部内に、複数の発光素子を前面に搭載したプリント基板を配置するとともに、開口部の前面を閉止するように盤面に透光性のカバー部材を取り付けたり、透光性を有するセルシートを貼付した電飾部を備えたりしたものがある。これによれば、電飾部が遊技盤面より突出せず同一平面となっているため、電飾部によって遊技領域を流下する遊技球の正常な動作が妨げられる虞がなく、また電飾部が遊技盤面に対して突出している従来タイプと比較して遊技球が流下、或いは転動するスペースを広く確保することができるため、限られた遊技領域を有効に活用することができる。
【０００３】
特許文献１乃至３には、夫々半透明セルシートによって盤面に貫通形成した透光穴を閉止すると共に、この透光穴の内部に配置したＬＥＤ等の光源からの光によってセルシートに形成した所要の電飾図柄を発光させるようにした遊技機が開示されている。電飾図柄はセルシートの一部を光が透過し得る透過部とすることにより、光源からの発光により電飾図柄の線図、輪郭線を視認できるように構成したものである。
【特許文献１】実開平２−３９７８３号公報
【特許文献２】特開２００４−２０９０３９公報
【特許文献３】特開２００５−１５２１７９公報
【発明の開示】
【発明が解決しようとする課題】
【０００４】
しかしながら、従来の電飾装置においては、例えば、電飾図柄を構成する線図や輪郭線が光によって浮き出てその形状を明確に視認できるようにする工夫が種々なされているが、実際には、光源からの光が盤面に形成した透光穴の内壁で吸収されて減衰しやすいためにセルシート内を透過して前方へ出射する際に光量が低下したり、不均一化したり、或いは内壁での乱反射により出射方向が過剰に拡散して電飾図柄だけを集中して照光できない状態となる。このため、電飾図柄は輪郭線がはっきりしないぼけた図柄になりやすかった。
本発明は上記に鑑みてなされたものであり、電飾図柄の輪郭形状が不明瞭化することのない電飾装置の印刷方法、電飾装置、遊技盤ユニット、及びパチンコ遊技機を提供することを目的としている。
【課題を解決するための手段】
【０００５】
上記目的を達成するため、請求項１に記載の本発明は、文字及び／又は図柄を印刷した前面板を備え、遊技盤を構成する基板に形成した開口部内に挿着される電飾装置の印刷方法であって、前記前面板に文字及び／又は図柄をシルクスクリーン印刷により印刷する第１の印刷工程と、前記前面板の周縁部分をインクジェット印刷により印刷する第２の印刷工程と、を含むことを特徴とする。
また請求項２に記載の電飾装置の印刷方法は、文字及び／又は図柄を印刷した前面板を備え、遊技盤を構成する基板に形成した開口部内に挿着される電飾装置であって、前記前面板に文字及び／又は図柄をシルクスクリーン印刷により印刷し、前記前面板の周縁部分をインクジェット印刷により印刷したことを特徴とする。
また請求項３に記載の遊技盤ユニットは、基板と、該基板に形成した開口部と、該基板表面に添設固定されるセルシートと、を備えた遊技盤と、請求項２に記載の電飾装置と、を備えたことを特徴とする。
また請求項４に記載のパチンコ遊技機は、請求項３に記載の遊技盤ユニットを備えたことを特徴とする。
【発明の効果】
【０００６】
本発明によれば、電飾装置の前面板に文字及び／又は図柄をシルクスクリーン印刷により印刷し、その前面板の周縁部分をインクジェット印刷により印刷を施すことで、電飾装置の周縁部分の遮光性を高めることができ、電飾装置の外観を明瞭化することが可能になる。これより電飾装置の存在を明確に視認させることができる。
【発明を実施するための最良の形態】
【０００７】
以下、本発明を図面に示した実施の形態により詳細に説明する。
図１は本発明の一実施形態に係るパチンコ遊技機の全体正面図であり、図２は遊技盤の拡大図である。
このパチンコ遊技機は、矩形形状の枠Ｆを備え、この枠Ｆに遊技盤１が取り付けられている。
遊技盤１を構成する遊技領域１ａの前面中央には特定の条件を満たしたときに動作する可変入賞装置２が設けられている。即ち、可変入賞装置２は大入賞口として機能しており、この大入賞口に遊技球が入賞したり、入賞してから一定条件が整うことにより、遊技者にとって有利な遊技状態が発生する。
【０００８】
可変入賞装置２の下方には始動入賞口３と、普通電動役物（中央始動口）４が配置され、普通電動役物４の直上位置にはゲート４ａが配置されている。また可変入賞装置２の左右両側には夫々普通入賞口５が設けられている。始動入賞口３に遊技球が入ることによりディスプレイ１１上の図柄変動を行い、当該図柄が特定の図柄（大当たり図柄、或いは小当り図柄）にて停止することにより羽根部材２０Ｌ、２０Ｒが開成制御され、この時に大入賞口内に設けられた特定領域１２に入賞することにより大当たり状態となる。
なお、枠Ｆの一側端縁には遊技盤１の前面を覆うガラス板を備えた図示しないガラス扉枠が開閉自在に軸支されている。
【０００９】
遊技盤１の下方には、遊技盤１に対して遊技球を発射する発射装置に遊技球を供給する発射球供給皿６、発射球供給皿６から溢れた遊技球を貯留する下皿７、打球発射用ハンドル８、遊技者に音声／効果音を発するスピーカ９等が設けられている。
この遊技盤１は、各種盤面部品を搭載する板部材であり、遊技盤の裏面には、液晶画面、主制御基板とサブ制御基板等、遊技の進行、演出に関わる裏部品を組み付けた合成樹脂製の機構板（何れも図示せず）が開閉自在に装着されている。
遊技盤１における遊技領域１ａの周囲には、打球発射用ハンドル８から発射された遊技球を遊技領域１ａの上部に案内したり、図示しないアウト球回収口に案内する遊技球ガイドレールとしての外レールＲ１、及び内レールＲ２が設けられている。
また、遊技領域１ａの上部中央に貼付されたセルシートの裏側には図２に破線で示した如き電飾装置（装飾部品）３０が埋設されており、電飾装置３０の前面に印刷形成された文字である「ＢＡＴＴＬＥ」が、電飾装置３０の内部に配置されたＬＥＤが点灯することにより発光し、セルシートを透過して視認できるように構成されている。
【００１０】
図３（ａ）及び（ｂ）はこの電飾装置の正面図、及び背面図であり、図４（ａ）及び（ｂ）は図３（ａ）中におけるＡ−Ａ断面図、及びＢ−Ｂ断面図である。更に、図５は電飾装置を斜め前方から見た分解斜視図である。
電飾装置３０は、遊技盤１を構成する合板（基板）２５に形成した開口部２６内に裏面側から埋め込まれた後で、合板２５の裏面との間をビス２７により螺着固定される。
開口部２６は、合板を貫通した貫通穴２６ａと、貫通穴２６ａの周縁部に形成された浅掘り部２６ｂと、を有している。
【００１１】
装飾部品としての電飾装置３０は、内側が貫通した枠体部３２、及び枠体部３２の外周縁から一体的に張り出した薄肉部３３を有した中空のベース部材３１と、ベース部材３１の前面側に配置される前面板４０と、ベース部材３１の裏面側から枠体部３２内に挿着されるプリント基板４５と、枠体部３２の裏面側に添設されて固定される裏面蓋部材５０と、を有している。
ベース部材３１の薄肉部３３にはビス２７を裏面側から差し込むためのビス穴３４が複数箇所形成されている。
前面板４０は透光性を有した樹脂製薄板から構成され、その前面には任意の文字、図柄を印刷等によって形成する。
プリント基板４５の前面には図示しないＬＥＤが配置されており、プリント基板４５から延びる図示しないリード線は裏蓋部材５０に設けた引出し穴５１から外部へ導出される。
【００１２】
このように構成される電飾装置３０ではプリント基板４５上のＬＥＤを発光させることによって、透光材料である前面板４０に形成された文字、絵柄等を発光させることができる。電飾装置３０を開口部２６内に固定した状態で開口部２６の前面はセルシートによって閉止されるため、ＬＥＤの消灯時には前面板４０に形成された文字等を前方から視認することはできないが、ＬＥＤの発光時にはセルシートを介して前方から文字等を視認することができる。
そして、本実施形態では、遊技者がＬＥＤの発光時においてセルシートを介して前方から電飾装置３０の文字等を明瞭に視認できるように文字等が印刷された前面板４０の輪郭線を明瞭化した点に特徴がある。
【００１３】
図６は本実施形態の電飾装置３０の正面図である。
この図６に示すように本実施形態の電飾装置３０では、ＬＥＤを発光したときに前面板４０の「ＢＡＴＴＬＥ」という文字を発光させるために、透光部材からなる前面板４０に少なくとも「ＢＡＴＴＬＥ」という文字が白抜き印刷されている。つまり「ＢＡＴＴＬＥ」の文字部分を残して背景部分（黒）４１の印刷を施すようにしている。このとき、前面板４０の文字や図柄等はシルクスクリーン印刷により印刷を施すようにしている。
シルクスクリーン印刷とは、シルク（現在ではナイロン、テトロン等）の網目に、画線部だけ孔（穴）を開けた版を使用し版の上からスキージと呼ばれるゴムで圧力をかけてこすりつけることにより画線部の孔をインクが通って転写する印刷方法であり、このようなシルクスクリーン印刷は、一枚当たりのコストが安く、印刷可能なインク量が多いため、下地である前面板４０を背景色（黒）４１により完全に覆うことができる。
【００１４】
しかし、シルクスクリーン印刷では、前面板４０の周縁部分４２まで背景色部分４１を印刷することが難しいため、ＬＥＤ発光時に前面板４０の周縁部分から光が漏れるおそれがあった。特にベース部材３１に対して前面板４０を取り付けたときに、ベース部材３１の枠体部３２と前面板４０との間に隙間があると、ベース部材３１の枠体部３２の内壁部分で乱反射した光が漏れてしまう。そこで、本実施形態では、前面板４０に対してシルクスクリーン印刷により背景部分４１の印刷を行った後、前面板４０の周縁部分４２に対して、ノズルからインクを噴出して印刷を行うインクジェット印刷により背景を印刷するようにした。このようにすれば、前面板４０の周縁部分４２から光が漏れるのを防止できるため、電飾装置３０の輪郭形状を明瞭化することが可能になる。このときインクジェット印刷による印刷膜厚をシルクスクリーン印刷による印刷膜厚より厚くすると、枠体部３２と前面板４０との隙間から漏れる光を遮光することができる。
【００１５】
以下、図７を用いて電飾装置３０の前面板４０の印刷手順を説明する。
この場合、先ず、第１の工程として、図７（ａ）に示すように前面板４０にひび割れをイメージした図柄４３をシルクスクリーン印刷により印刷する。
次に、第２の工程として、図７（ｂ）に示すようにひび割れをイメージした図柄４３を印刷した前面板４０にシルクスクリーン印刷により「ＢＡＴＴＬＥ」という文字を白抜き印刷する。つまり、前面板４０に「ＢＡＴＴＬＥ」という文字の背景部分（黒）４１を印刷する。この後、第３の工程として、第２の工程において印刷を施すことができなかった前面板４０の周縁部分４２にインクジェット印刷により背景色（黒）を印刷して遮光するようにしている。これにより、本実施形態の電飾装置３０の前面板４０を作製することができる。
【００１６】
なお、本実施形態では電飾装置３０を例に挙げて説明したが、これに限らず透光性を有する前面板には任意の文字、図柄等が印刷された電飾装置であれば、あらゆるタイプの電飾装置に適用することができる。
【図面の簡単な説明】
【００１７】
【図１】本発明の一実施形態に係るパチンコ遊技機の全体正面図である。
【図２】本発明の遊技盤の拡大図である。
【図３】（ａ）及び（ｂ）は本発明の一実施形態に係る電飾装置の正面図及び背面図である。
【図４】（ａ）及び（ｂ）は図３（ａ）中におけるＡ−Ａ断面図及びＢ−Ｂ断面図である。
【図５】電飾装置を斜め前方から見た分解斜視図である。
【図６】本実施形態の電飾装置３０の正面図である。
【図７】（ａ）乃至（ｃ）は電飾装置３０の前面板４０の印刷手順を説明する図である。
【符号の説明】
【００１８】
１…遊技盤、１ａ…遊技領域、２…可変入賞装置、３…始動入賞口、４…普通電動役物、４ａ…ゲート、５…普通入賞口、６…発射球供給皿、７…下皿、８…打球発射用ハンドル、９…スピーカ、１１…ディスプレイ、１２…特定領域、２０…羽根部材、２５…合板（基板）、２６…開口部、２６ａ…貫通穴、２６ｂ…浅掘り部、２７…ビス、３０…電飾装置、３１…ベース部材、３２…枠体部、３３…薄肉部、３４…ビス穴、４０…前面板、４１…背景部分、４２…周縁部分、４３…図柄、４５…プリント基板
【図１】
2008093303.tif 000003
【図２】
2008093303.tif 000004
【図３】
2008093303.tif 000005
【図４】
2008093303.tif 000006
【図５】
2008093303.tif 000007
【図６】
2008093303.tif 000008
【図７】
2008093303.tif 000009